(57)【要約】      （修正有）【課題】手の機能は物を握る事であり目の視覚情報により脳の命令で腕を動かし物に触れ、この触覚情報をまた脳に伝え、脳で視覚と触覚から総合的に判断して、脳からの握る条件命令によって握る。従って、手で物を握るためには視覚と触覚が同期した複合情報が脳に必要不可欠であり、逆に脳梗塞等で手が不自由になった場合のリハビリテーションのための視覚と触覚が同期した複合情報で脳を刺激する健康用具を提供する。【解決手段】柔軟性のある材料で作った掌で握る事が出来る二つの握袋２Ｌ，２Ｒを可撓性のチューブ３により連通させ、一つの握袋を握り込むと他方の握袋が膨らむ連通袋に於いて、一つの握袋を鏡の鏡面側Ａに、他方の一つの握袋を鏡の背面側Ｂに配置し、健康な手で一つの握袋を握り込むと、脳は不自由な手の情報として連通袋から触覚情報、鏡像から視覚情報を同期した複合情報で得て、手が正常であるような刺激を受ける。【選択図】    図１
2007105411.tif 000002
【特許請求の範囲】
【請求項１】
柔軟性のある材料で作った掌で握る事が出来る二つの握袋を可撓性のチューブにより連通させ、一つの握袋を握り込むと他方の握袋が膨らむ連通袋に於いて、一つの握袋を鏡の鏡面側に、他方の一つの握袋を鏡の背面側に配置した事を特徴とする健康用具。
【発明の詳細な説明】
【発明の詳細な説明】
【技術分野】
【０００１】  本発明は、手の健康用具に関し、より詳言すれば、ゴムや高分子化合物等の柔軟性のある材料で作った二つの握袋を可撓性のチューブにより連通させ、一つの握袋を掌で握り込むと、他方の握り込まない方の手の握袋が膨らみ掌に握力的な触覚を与えると同時に、握り込んだ方の手の運動が鏡に映り、あたかも握り込まない方の手が握り込み運動をしているような錯覚の視覚が得られる手のリハビリテーション用の健康用具に関する。
【背景技術】
【０００２】  従来の技術は、手の触覚に関する健康用具としては握力トレーニング具、ツボ刺激具、クルミ等の指運動具があり、手の視覚に関する健康用具としては鏡に動く手を映して錯覚からリハビリテーションするミラー箱があった。これらの従来技術では、触覚と視覚による脳の刺激は別々の健康用具を使い、同時には出来ないものが一般的な手のリハビリテーション用の健康用具であった。【０００３】
【特許文献１】  特開平８−１８７３０５号公報
【特許文献２】  特開２００２−１５３５７３号公報
【発明が解決しょうとする課題】
【０００４】  手の機能は物を握る事であり目の視覚情報により脳の命令で腕を動かし物に触れ、この触覚情報をまた脳に伝え、脳で視覚と触覚から総合的に判断して、脳からの握る条件命令によって握る。従って、手で物を握るためには視覚と触覚の複合情報が脳に必要不可欠であり、逆に脳梗塞等で手が不自由になった場合のリハビリテーションには、視覚と触覚の複合情報で脳を刺激する事が必要である。しかしながら、従来技術の手のリハビリテーション用の健康用具では、触覚と視覚の複合情報で脳を刺激する事が出来なかった。
【０００５】  本発明は、これらの欠点を除き、視覚情報と触覚情報を同期、複合情報として同時に神経を通して脳に伝え、脳を刺激して活性化を図り、高いリハビリテーション効果が得られる手の健康用具の提供を目的としている。
【課題を解決するための手段】
【０００６】  脳障害や神経障害で麻痺した手の機能回復には、死んだ脳や切れた神経をいきなり更生しようとしても無理である。脳や神経に、麻痺した手があたかも正常に機能しているように思わせる幻の情報で刺激を与えて、死んだ脳や切れた神経を生長させる事が出来るリハビリテーション方法が必要課題である。
【０００７】  前記の目的を達成して課題を達成するためには、手が動いていると思わせる視覚の幻には鏡を用い、握っていると思わせる触覚の幻には片方の袋を握ると他方の袋が膨らむ二つの握袋を連通させた連通袋を用いる。
【発明を実施するための最良の形態】
【０００８】  本発明の実施形態は、健康な手と麻痺した手の間に、健康な手の方に鏡面を向け麻痺した手の方には鏡背面を向けた鏡を立てて配置し、鏡には穴を設けて連通袋のチューブを通して、健康な手で一つの握袋を握った全景が鏡面に映るようにする。また、麻痺した手は、鏡背面で他のもう一つの握袋に触れるようにした。
【実施例】
【０００９】  以下、本発明の実施例を添付図面に基づいて詳細に説明する。図１は本発明の請求項１に於ける健康用具Ｈの一実施例の構成を示す斜視図で、右穴４Ｒと左穴４Ｌを開けた鏡１を鏡台７に立て右握袋２Ｒと左握袋２Ｌを連通するチューブ３を右穴４Ｒに通してある。図２は握袋２の部分の構成を断面図で示したもので、同図（イ）は握袋２を組み付けた状態で、上部にはストッパー８が設けられたチューブ３を差し込んでキャップ５が被せてあり、下部にはチェック・ボール９が設けられたバルブ６が取り付けられている。同図（ロ）はチューブ３を鏡１の右穴４Ｒまたは、左穴４Ｌに通すために、握袋２から抜いた状態を示したものである。同図（ハ）はバルブ６の拡大図でチェック・ボールが鉄のため、重さで握袋２の内圧が正圧の場合は閉じた状態になっている。同図（ニ）はバルブ６が開いた状態の拡大図で握袋２内が負圧になると開いて空気を吸い込む。【００１０】  以上の構成からなる請求項１に於ける一実施例の健康用具Ｈの作用を具体的に、図３から図７に基づいて以下説明する。
触覚の刺激については、今、図３のように右手１０Ｒで右握袋２Ｒを握り込んだ場合、バルブ６は閉じているため右握袋２Ｒ内の空気は圧せられて高くなり、チューブ３を通って左握袋２Ｌに流れ込み内圧が高くなり膨らんで左手１０Ｌに逆握力（掌を広げる力）の刺激を与える。図４のように右手１０Ｒの握り込みを緩めると右握袋２Ｒの内圧が低くなり、膨らんだ左握袋２Ｌがしぼみ、左手１０Ｌの逆握力（掌を広げる力）がなくなる。このように、連通袋は片方の袋を握ったり緩めたりすることにより、他方の袋を膨らませたりしぼめたりすることが出来る。したがって、健康な手から麻痺の手に握力を伝達して手から直接、触覚刺激を脳に与える事が出来る。【００１１】  視覚の刺激については、今、図５のように鏡１の鏡面Ａを右手１０Ｒに向けて、チューブ３を図２（ロ）のように握袋２から抜き取り鏡１の穴４Ｒに通して右握袋２Ｒと左握袋２Ｌを連通させる。図５（イ）のように、左手１０Ｌを鏡１の鏡背面Ｂ側に隠し、右手１０Ｒで右握袋２Ｒを握り込むと鏡１に握り込んだ右手１０Ｒ、右握袋２Ｒ、チューブ３が映り実像と鏡像はチューブ３が繋がっているように見えて、まるで鏡背面Ｂに隠した左手１０Ｌも握り込んだような錯覚になり、脳に左手１０Ｌを握り込んだ情報刺激を与える事が出来る。また、図５（ロ）のように右手１０Ｒを緩めると鏡１に映る鏡像も緩めた状態で見えるため、鏡背面Ｂに隠した左手１０Ｌを緩めた錯覚になり、脳に左手１０Ｌを緩めた情報刺激を与える事が出来る。左手１０Ｌで握って右手１０Ｒを隠す場合は、図６のようにチューブ３を左穴４Ｌに通して鏡１の鏡面Ａを左握袋２Ｌ側に向ける。なお、鏡像は省略。【００１２】  このように、一つの握袋を握り込むと他方の握袋が膨らむ連通袋と鏡の組み合わせによって、五感の中の触覚と視覚の複合情報で脳を刺激することが出来る。【００１３】  図７は、請求項１に於ける一実施例の健康用具Ｈを健康な手Ｋの右手１０Ｒで麻痺した手Ｍの左手１０Ｌをリハビリテーションしたときの作用をイラスト図で示したものであり、同図（イ）は健康な手Ｋである右手１０Ｒで右握袋２Ｒを握り込むとチューブ３を通して連通している左握袋２Ｌが膨らみ、麻痺した手Ｍの左手１０Ｌは掌が押し広げられる力を受ける。鏡１の鏡面Ａには健康な手Ｋである右手１０Ｒの握り込んだ状態が鏡像として映る。同図（ロ）は右握袋２Ｒを握り込んだ健康な手Ｋである右手１０Ｒを緩めてチューブ３を通して連通している左握袋２Ｌをしぼめると、麻痺した手Ｍである左手１０Ｌは左握袋２Ｌのしぼみによって押し広げられていた掌の力はなくなる。鏡１の鏡面Ａには健康な手Ｋである右手１０Ｒの緩めた状態が鏡像として映る。【００１４】  図８は請求項１に於ける一実施例の健康用具Ｈを使用して健康な手Ｋで麻痺した手Ｍをリハビリテーションしている状態を示したイラスト図であり、健康な手Ｋである右手１０Ｒで右握袋２Ｒを握り込むとチューブ３を通って左握袋２Ｌを膨らませて麻痺した手Ｍである左手１０Ｌに握ったような刺激を与える。同時に、健康な手Ｋである右手１０Ｒの握り込んだ姿が、麻痺した手Ｍである左手１０Ｌが握り込んだように鏡像として見える。次に、健康な手Ｋである右手１０Ｒで握り込んだ���握袋２Ｒを緩めるとチューブ３によって連通している左握袋２Ｌはしぼんで麻痺した手Ｍである左手１０Ｌに緩めたような刺激を与える。同時、健康な手Ｋである右手１０Ｒの緩めた姿が、麻痺した手Ｍである左手１０Ｌを緩めたように鏡像として見える。
【発明の効果】
【００１５】  以上説明したように、本発明の健康用具は片手が麻痺したリハビリテーションに適し、麻痺した手は、握ったり緩めたりする鏡像とこれに同期した握力の強弱の刺激を受けるため、幻の視覚と実触覚から麻痺した手が正常に動いているように脳が錯覚して、正常な脳細胞や神経を再生長させて機能回復させる事ができる。健康な手は、握り込み量と握り込む握力が得られて、握力トレーニングになる。
【００１６】  このように本健康用具によると、麻痺した手には、握袋の膨縮による握力の触覚刺激と鏡像による幻の視覚刺激。健康な手には、握り込み運動と握力運動が得られ、握り込んだり、緩めたりの動作を連続して行うと四位一体で、手の機能に関わる脳や神経の生長、活性化と共に、血行促進、新陳代謝の活発化などに繋がりリハビリテーション効果が格段に高まる。
更に、本発明の健康用具は柔軟性のある握袋を握るため、掌の全面によくフィットすると共に、ソフトな握力で高齢者にも優しく効率よくリハビリテーションができ、今後の高齢化社会にも適した非常に効果的な手の健康用具の発明である。
【図面の簡単な説明】
【００１７】
【図１】請求項１に於ける健康用具Ｈの一実施例に関わる構成を示す斜視図。
【図２】図１の一部である握袋２の断面図とバルブ６の部分拡大断面図であり、（イ）は握袋２の部分の構造を示す断面図、（ロ）は握袋２からチューブ３とその付属品を抜き取った状態を示した断面図、（ハ）はバルブ６の部分拡大断面図でバルブ６が閉じた状態、（ニ）はバルブ６の部分拡大断面図でバルブ６が開いた状態。
【図３】図１を断面で示したもので、右握袋２Ｒを握り込んだ場合の連通した右握袋２Ｒと左握袋２Ｌの作用を示す。
【図４】図１を断面で示したもので、右握袋２Ｒの握りを緩めた場合の連通した右握袋２Ｒと左握袋２Ｌの作用を示す。
【図５】図１の健康用具Ｈに於いて左手１０Ｌを鏡背面Ｂに隠して、右手１０Ｒと鏡像を示したものであり、（イ）は右手１０Ｒを握り込んだ状態。（ロ）は右手１０Ｒを緩めた状態。
【図６】図１の健康用具Ｈを右手１０Ｒのリハビリテーションに使用する場合、チューブ３を鏡１の左穴４Ｌに通して左握袋２Ｌ側に鏡面を向けた状態の斜視図。
【図７】図１の健康用具Ｈを麻痺した左手１０Ｌのリハビリテーションに使用した場合の作用を示したイラスト図で、（イ）は右手１０Ｒを握り込んだ作用、（ロ）は右手１０Ｒを緩めた作用である。
【図８】請求項１の一実施例である図１の健康用具Ｈを左手１０Ｌのリハビリテーションに実際に使用している実施状態をイラスト示したものである。
【符号の説明】
【００１８】１      鏡
２      握袋
２Ｒ    右握袋
２Ｌ    左握袋
３      チューブ
４Ｒ    右穴
４Ｌ    左穴
５      キャップ
６      バルブ
７      鏡台
８      ストッパー
９      チェック・ボール
１０Ｒ  右手
１０Ｌ  左手
Ａ      鏡面
Ｂ      鏡背面
Ｈ      健康用具
Ｋ      健康な手
Ｍ      麻痺した手
【図１】
2007105411.tif 000003
【図２】
2007105411.tif 000004
【図３】
2007105411.tif 000005
【図４】
2007105411.tif 000006
【図５】
2007105411.tif 000007
【図６】
2007105411.tif 000008
【図７】
2007105411.tif 000009
【図８】
2007105411.tif 000010